【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
防災受信盤に火災検知器を接続して火災を監視するトンネル防災システムに於いて、
前記火災感知器の劣化異常を判定する異常判定部を備えたことを特徴とするトンネル防災システム。
【請求項２】
請求項１記載のトンネル防災システムに於いて、
前記火災検知器の内部電圧又は消費電流の少なくとも何れか一方が所定の範囲外となった場合に劣化異常を判定する異常判定部を備え、当該火災検知器の劣化異常を報知することを特徴とするトンネル防災システム。
【請求項３】
請求項１又は２記載のトンネル防災システムに於いて、
前記異常判定部は、前記火災検知器に設けられ、自器の内部電圧又は消費電流の少なくとも何れか一方に所定の低下又は増加が認められる場合に、劣化異常を判定して劣化異常信号を前記防災受信盤へ送信し、
前記防災受信盤は、前記火災検知器から前記劣化異常信号を受信した場合に、当該火災検知器の劣化異常を報知することを特徴とするトンネル防災システム。
【請求項４】
請求項１又は２記載のトンネル防災システムに於いて、
前記火災検知器は、自器の内部電圧と消費電流の少なくとも何れか一方を測定して前記防災受信盤に送信し、
前記異常判定部は、前記防災受信盤に設けられ、前記火災検知器から受信した内部電圧又は消費電流の測定結果の少なくとも何れか一方に所定の低下又は増加が認められる場合に、劣化異常を判断して、前記防災受信盤に、当該火災検知器の劣化異常を報知させることを特徴とするトンネル防災システム。
【請求項５】
請求項３又は４記載のトンネル防災システムに於いて、
前記異常判定部は、前記内部電圧又は消費電流の少なくとも何れか一方の低下が前記劣化異常と判断するに至る前段階の所定範囲であると認められる場合に、劣化異常の予告を判定して、前記防災受信盤に、前記火災検知器の劣化異常予告を報知させることを特徴とするトンネル防災システム。
【請求項６】
請求項３乃至５の何れかに記載のトンネル防災システムに於いて、
前記防災受信盤は、所定の設定操作に基づき、前記異常判定部の、前記劣化異常と認める差異の基準となる閾値を変更させることを特徴とするトンネル防災システム。
【請求項７】
請求項２乃至６の何れかに記載のトンネル防災システムに於いて、
前記火災検知器は、電源部から出力される電源電圧と電源電流を、前記内部電圧及び前記消費電流として測定することを特徴とするトンネル防災システム。
【請求項８】
請求項２乃至７の何れかに記載のトンネル防災システムに於いて、
前記火災検知器は、検知器試験時に電源部から所定の回路ブロック単位に出力される電源電圧と電源電流を、前記内部電圧及び前記消費電流として測定することを特徴とするトンネル防災システム。
【請求項９】
請求項２乃至８の何れかに記載のトンネル防災システムに於いて、
前記防災受信機は、所定の操作又は所定周期毎に、前記火災検知器へ試験開始信号を送信し、
前記火災検知器は、前記防災受信機から前記試験開始信号を受信した場合に、自器の内部電圧と消費電流を測定することを特徴とするトンネル防災システム。
【請求項１０】
請求項９記載のトンネル防災システムに於いて、前記火災検知器は、前記試験開始信号に基づく試験の実施中に、内部電圧と消費電流を所定周期毎に測定して平均電圧及び平均電流を求めることを特徴とするトンネル防災システム。
【手続補正２】
【補正対象書類名】明細書
【補正対象項目名】００１０
【補正方法】変更
【補正の内容】
【００１０】
（トンネル防災システム）
本発明は、防災受信盤に火災検知器を接続して火災を監視するトンネル防災システムに於いて、
火災検知器の内部電圧又は消費電流の少なくとも何れか一方が所定の範囲外となった場合に劣化異常を判定する異常判定部を備え、当該火災検知器の劣化異常を報知させることを特徴とする。
【手続補正３】
【補正対象書類名】明細書
【補正対象項目名】００１１
【補正方法】変更
【補正の内容】
【００１１】
（火災検知器での劣化異常判断）
異常判定部、火災検知器に設けられ、自器の内部電圧又は消費電流の少なくとも何れか一方に所定の低下又は増加が認められる場合に、劣化異常を判定して劣化異常信号を防災受信盤へ送信し、
防災受信盤は、火災検知器から劣化異常信号を受信した場合に、当該火災検知器の劣化異常を報知する。
【手続補正４】
【補正対象書類名】明細書
【補正対象項目名】００１２
【補正方法】変更
【補正の内容】
【００１２】
（防災制御盤での劣化異常の判断）
火災検知器は、自器の内部電圧と消費電流の少なくとも何れか一方を測定して防災受信盤に送信し、
異常判定部は、防災受信盤に設けられ、火災検知器から受信した内部電圧又は消費電流の測定結果の少なくとも何れか一方に所定の低下又は増加が認められる場合に、劣化異常を判断して、防災受信盤に、当該火災検知器の劣化異常を報知させる。
【手続補正５】
【補正対象書類名】明細書
【補正対象項目名】００１３
【補正方法】変更
【補正の内容】
【００１３】
（劣化異常予告）
異常判定部は、内部電圧又は消費電流の少なくとも何れか一方の低下が劣化異常と判断するに至る前段階の所定範囲であると認められる場合に、劣化異常の予告を判定して、防災受信盤に、火災検知器の劣化異常予告を報知させる。
【手続補正６】
【補正対象書類名】明細書
【補正対象項目名】００１４
【補正方法】変更
【補正の内容】
【００１４】
（閾値の設定変更）
防災受信盤は、所定の設定操作に基づき、異常判定部の、劣化異常と認める際の基準となる閾値を変更させる。
【手続補正７】
【補正対象書類名】明細書
【補正対象項目名】００１５
【補正方法】変更
【補正の内容】
【００１５】
（電源部の電源電圧と電源電流の測定）
火災検知器は、電源部から出力される電源電圧と電源電流を、内部電圧及び消費電流として測定する。
【手続補正８】
【補正対象書類名】明細書
【補正対象項目名】００１７
【補正方法】変更
【補正の内容】
【００１７】
（感度試験と汚れ試験）
防災受信機は、所定の操作又は所定の周期毎に、火災検知器へ試験信号を送信し、
火災検知器は、防災受信機から試験信号を受信した場合に、自器の内部電圧と消費電流を測定する。
【手続補正９】
【補正対象書類名】明細書
【補正対象項目名】００１８
【補正方法】変更
【補正の内容】
【００１８】
（回路ブロック毎の電源電圧と電源電流の測定）
火災検知器は、試験開始信号に基づく試験の実施中の内部電圧と消費電流を所定の周期毎に測定して平均電圧及び平均電流を求める。
【手続補正１０】
【補正対象書類名】明細書
【補正対象項目名】００１９
【補正方法】変更
【補正の内容】
【００１９】
（基本的な効果）
本発明は、防災受信盤に火災検知器を接続して火災を監視するトンネル防災システムに於いて、火災検知器の内部電圧又は消費電流の少なくとも何れか一方が所定の範囲外となった場合に劣化異常を判定する異常判定部を備え、当該火災検知器の劣化異常を報知させるようにしたため、システムの運用期間の長期化に伴い火災検知器の回路部の経年劣化が進んで回路機能が低下すると、疑似的な火災検知状態が作り出される試験状態で測定された内部電圧及び又は消費電流が低下する変化が表れ、このような試験時の内部電圧や消費電流の低下から回路劣化の進み具合を判断し、動作不良を起こす前に劣化異常を報知させることができ、動作不良を起こす前に、劣化異常を起こしている火災検知器を予備の火災検知器に交換する等の対応が可能となり、システムの経年劣化が進んでも、火災監視の信頼性を継続的に維持可能とする。
【手続補正１１】
【補正対象書類名】明細書
【補正対象項目名】００２０
【補正方法】変更
【補正の内容】
【００２０】
（火災検知器での劣化異常判断による効果）
また、異常判定部は、前記火災検知器に設けられ、自器の内部電圧又は消費電流の少なくとも何れか一方に所定の低下又は増加が認められる場合に、劣化異常を判定して劣化異常信号を防災受信盤へ送信し、防災受信盤は、火災検知器から劣化異常信号を受信した場合に、当該火災検知器の劣化異常を報知するようにしたため、試験時の内部電圧や消費電流の低下から回路劣化の進み具合を判断して動作不良を起こす前に劣化異常を報知させることができ、また、劣化異常を火災検知器側で判断することで、防災受信盤の処理負担を低減できる。
【手続補正１２】
【補正対象書類名】明細書
【補正対象項目名】００２１
【補正方法】変更
【補正の内容】
【００２１】
（防災制御盤での劣化異常の判断による効果）
また、火災検知器は、自器の内部電圧と消費電流の少なくとも何れか一方を測定して防災受信盤に送信し、異常判定部は、防災受信盤に設けられ、火災検知器から受信した内部電圧又は消費電流の測定結果の少なくとも何れか一方に所定の低下又は増加が認められる場合に、劣化異常を判断して、防災受信盤に、当該火災検知器の劣化異常を報知させるようにしたため、試験時の内部電圧や消費電流の低下から回路劣化の進み具合を判断して動作不良を起こす前に劣化異常を報知させることができ、また、火災検知器の劣化異常を防災受信盤で判断することにより、劣化が進んだ火災感知器では劣化判断が正常にできない問題を解消し、確実に火災検知器の劣化判断が可能となる。
【手続補正１３】
【補正対象書類名】明細書
【補正対象項目名】００２２
【補正方法】変更
【補正の内容】
【００２２】
（劣化異常予告の効果）
また、異常判定部は、内部電圧又は消費電流の少なくとも何れか一方の低下が劣化異常と判断するに至る前段階の所定範囲であると認められる場合に、劣化異常の予告を判定して、防災受信盤に、火災検知器の劣化異常予告を報知させるようにしたため、劣化異常が報知される前に、劣化異常の予告が報知されることで、火災検知器の劣化の進み具合を継時的に判断でき、劣化異常が出されるまでに、交換用の火災検知器を準備したり、交換作業の適切な予定を立てることが可能となる。
【手続補正１４】
【補正対象書類名】明細書
【補正対象項目名】００２３
【補正方法】変更
【補正の内容】
【００２３】
（閾値の設定変更による効果）
また、防災受信盤は、所定の設定操作に基づき、異常判定部の、劣化異常と認める際の基準となる閾値を変更させるようにしたため、早めに劣化異常を報知させたい場合は閾値を高い値に変更し、また、劣化異常の報知を遅らせたい場合は、閾値を低い値に変更するといった操作を、必要に応じて行うことを可能とする。
【手続補正１５】
【補正対象書類名】明細書
【補正対象項目名】００２４
【補正方法】変更
【補正の内容】
【００２４】
（電源部の電源電圧と電源電流の測定による効果）
また、火災検知器は、電源部から出力される電源電圧と電源電流を、内部電圧及び消費電流として測定するようにしたため、火災検知器に設けている回路部全体の劣化度合を電源電圧と電源電流の変化から判断可能とする。
【手続補正１６】
【補正対象書類名】明細書
【補正対象項目名】００２６
【補正方法】変更
【補正の内容】
【００２６】
（感度試験と汚れ試験による効果）
また、防災受信機は、所定の操作又は所定周期毎に、火災検知器へ試験信号を送信し、火災検知器は、防災受信機から試験信号を受信した場合に、自器の内部電圧と消費電流を測定するようにしたため、感度試験と汚れ試験における火災炎の検出状態と同等な動作状態での内部電圧と消費電流を測定することができ、回路部の劣化度合をより正確に判断可能とする。
【手続補正１７】
【補正対象書類名】明細書
【補正対象項目名】００２７
【補正方法】変更
【補正の内容】
【００２７】
（回路ブロック毎の電源電圧と電源電流の測定による効果）
また、火災検知器は、試験開始信号に基づく試験の実施中の内部電圧と消費電流を所定の周期毎に測定して平均電圧及び平均電流を求めるようにしたため、試験中の内部電圧や消費電流の一時的な変化に影響されることなく、劣化度合をより正確に判断可能とする。
【手続補正１８】
【補正対象書類名】明細書
【補正対象項目名】００５２
【補正方法】変更
【補正の内容】
【００５２】
図３に示すように、火災検知器１２は、筐体４９の上部に設けられたセンサ収納部５１に左右に分けて２組の透光性窓５０Ｒ，５０Ｌが設けられ、透光性窓５０Ｒ，５０Ｌ内の各々に、センサ部が配置されている。また、透光性窓５０Ｒ，５０Ｌの近傍の、センサ部を見通せる位置に、透光性窓５０Ｒ，５０Ｌの汚れ試験に使用される外部試験光源を収納した２組の試験光源用透光窓５２Ｒ，５２Ｌが設けられている。
【手続補正１９】
【補正対象書類名】明細書
【補正対象項目名】００７７
【補正方法】変更
【補正の内容】
【００７７】
システム立上げ時の汚れ試験で得られる検出受光値は基準受光値に一致しており、基準受光値から検出受光値を減算した値を基準受光値で割った減光率は０となっている。運用期間が経過していくと、透光性窓５０Ｒに汚れが付着し、減光率は、０．１，０．２，０．３・・・というように徐々に増加していく。
【手続補正２０】
【補正対象書類名】明細書
【補正対象項目名】０１２２
【補正方法】変更
【補正の内容】
【０１２２】
１ａ：上り線トンネル
１ｂ：下り線トンネル
１０：防災受信盤
１２：火災検知器
１４ａ，１４ｂ：伝送路
１６：消火ポンプ設備
１８：冷却ポンプ設備
２０：ＩＧ子局設備
２２：換気設備
２４：警報表示板設備
２６：ラジオ再放送設備
２８：テレビ監視設備
３０：照明設備
３２：遠方監視制御設備
３４：盤制御部
３６，５６：伝送部
４６：ＩＯ部
５０Ｒ，５０Ｌ：透光性窓
５１：センサ収納部
５２Ｒ，５２Ｌ：試験光源用透光窓
５４：検知器制御部
５８：電源部
６０Ｒ，６０Ｌ：火災検知部
６４，６８：センサ部
６６，７０：増幅処理部
７２：試験発光駆動部
７４Ｒ，７４Ｌ，７５Ｒ，７５Ｌ：内部試験光源
７６Ｒ，７６Ｌ：外部試験光源
７８：電圧電流検出部
８０：火災判断部
８２：感度試験部
８４：汚れ試験部
８６：劣化試験部
【手続補正２１】
【補正対象書類名】図面
【補正対象項目名】図３
【補正方法】変更
【補正の内容】
【図３】
2018147373.tif 000001